(57)【要約】【課題】  フレーム同士の接続作業が容易な、フレームの接続具を提供する。【解決手段】  接続具３は、接続具本体４と、取付ネジ５と、保持手段６とを備える。接続具本体４は、第１部材４１および第２部材４２と、弾性部材４３とを有する。第１部材４１および第２部材４２は、第１フレーム１の挿入部１０に挿入される本体部４１ａ、４２ａ、および、第２フレーム２の挿入溝２０に挿入される係止部４１ｂ、４２ｂを有する。係止部４１ｂ、４２ｂは、弾性部材４３によって、挿入溝２０の開口幅よりも拡がるように付勢され、また、取付ネジ５の回動によって、互いに離れる方向に相対移動する。そして、接続具本体４は、係止部４１ｂ、４２ｂが、挿入溝２０内に圧入されると、その挿入溝２０に、移動を制限されるように支持される。さらに、取付ネジ５のねじ込みにより、接続具本体４は、挿入溝２０に確実に固定される。【選択図】  図２
2005147261.tif 000002
【特許請求の範囲】
【請求項１】
長手方向の端面に開口する挿入部を備えた第１フレームと、一の面にその長手方向に延びるように開口する挿入溝を備えた第２フレームとを、前記端面と前記一の面とが対面するようにして接続する接続具であって、
前記挿入部に挿入される本体部、および、前記挿入部から突出すべく前記本体部の先端から延設されるとともに前記挿入溝に挿入される係止部を有する、第１部材および第２部材と、それら第１部材および第２部材を、それら第１部材および第２部材の前記係止部が互いに離れて、前記挿入溝の開口幅よりも拡がるように弾性的に付勢する、付勢部材とを備える接続具本体と、
前記第１フレームの周面に設けられた、前記挿入部に通ずる貫通孔から挿入され、かつ、回動操作によって、前記両係止部を互いに離れる方向に相対移動させることができるように、前記接続具本体に設けられる取付ネジと、
前記接続具本体を前記第１フレームに保持する保持手段と、を備え、
前記接続具本体は、前記両係止部が、前記付勢部材の付勢力に抗して狭められるようにして前記挿入溝内に圧入されて、前記挿入溝を、その開口が拡開する方向に押圧することで、前記挿入溝に、移動が制限されるように支持され、かつ、
前記接続具本体は、前記取付ネジの回動により、前記両係止部が、互いに離れる方向に力を受けて、前記挿入溝を、その開口が拡開する方向にさらに押圧することで、前記挿入溝に固定されることを特徴とするフレームの接続具。
【請求項２】
前記第１部材の本体部および前記第２部材の本体部は、前記挿入部の内面と当接する第１当接部を有し、
前記両本体部が前記挿入部に挿入され、かつ、前記両係止部が前記挿入溝に挿入されないときには、前記第１当接部は、前記付勢部材の付勢力を受けて、前記挿入部の内面に当接するとともに、前記両係止部は、前記挿入溝の開口幅よりも拡がっていることを特徴とする請求項１に記載のフレームの接続具。
【請求項３】
前記第１部材の本体部または前記第２部材の本体部は、その基端に、前記両係止部が前記挿入溝に圧入されつつあるときに、前記接続具本体が前記第１フレームに対して傾くのを規制すべく、前記挿入部の内面と当接する、第２当接部を有することを特徴とする請求項２に記載に記載のフレームの接続具。
【請求項４】
前記第１部材は、前記取付ネジが螺合する貫通状の雌ネジ部を有し、
前記第２部材は、前記雌ネジ部に螺合した前記取付ネジの先端が当接するネジ当接部を有し、
前記取付ネジがねじ込まれるように回動されて、その取付ネジの先端が前記ネジ当接部を押すことで、前記両係止部は、互いに離れる方向に相対移動することを特徴とする請求項１ないし３のいずれか１項に記載のフレームの接続具。
【請求項５】
前記取付ネジは、その後端部分に、前記貫通孔の内周面と当接するネジ頭部を有し、
このネジ頭部が、前記保持手段となること特徴とする請求項４に記載のフレームの接続具。
【請求項６】
前記挿入溝は、その開口側に、開口幅を狭めるように突出する突条部を有しており、
前記両係止部は、その先端部分に、それら両係止部が互いに離れる方向に突出する突出部を有し、その突出部の後端部には、それら両係止部が互いに離れる方向に力を受けることで、前記突条部を、前記挿入溝の開口が拡開する方向とともに前記第１フレームの方向に押圧する押圧面が設けられていることを特徴とする請求項１ないし５のいずれか１項に記載のフレームの接続具。
【発明の詳細な説明】
【技術分野】
【０００１】
この発明は、フレーム同士を接続する、フレームの接続具に関するものである。
【背景技術】
【０００２】
従来、フレーム同士を接続する接続具として、図７および図８に示される接続具があった（非特許文献１参照）。この接続具１００は、後端部分に設けられるヒンジ部１０１を支点に開閉する第１部材１０２および第２部材１０３と、それら第１部材１０２および第２部材１０３を互いに閉じるように付勢する付勢部材１０４と、取付ネジ１０５とを備えていた。また、前記第１部材１０２は、前記取付ネジ１０５が螺合する貫通状の雌ネジ部１０６を有していた。また、フレーム１０７は、長手方向に貫通する貫通孔１０７ａを備え、フレーム１０８は、長手方向に延びる溝１０８ａを備えていた。
【０００３】
ここで、前記第１部材１０２および第２部材１０３の前記ヒンジ部１０１側を前記貫通孔１０７ａに挿入し、前記取付ネジ１０５を前記フレーム１０７に形成された孔１０７ｂから挿入して、前記雌ネジ部１０６にねじ込んだ。そして、前記第１部材１０２および第２部材１０３の前記貫通孔１０７ａから突出した先端部分１０２ａ、１０３ａを前記溝１０８ａに挿入し、前記取付ネジ１０５をさらにねじ込むと、取付ネジ１０５の先端が前記第２部材１０３を押し、前記第１部材１０２および第２部材１０３が前記ヒンジ部１０１を支点に開くことで、前記第１部材１０２および前記第２部材１０３は、フレーム１０８に取り付けられ、フレーム１０７とフレーム１０８とが互いに接続された。
【非特許文献１】カタログ「ＳＯＤＥＭ  ＳＹＳＴＥＭ（ＳＹＳＴＥＭ  ＰＡＮＥＬＳ  ｖｏｌ．１）」、ｐ．３、株式会社キヌガワ
【発明の開示】
【発明が解決しようとする課題】
【０００４】
しかしながら、前記従来の接続具１００においては、その接続具１００の第１部材１０２および第２部材１０３の先端部分１０２ａ、１０３ａを前記フレーム１０８の溝１０８ａに挿入した時には、第１部材１０２と第２部材１０３とが付勢部材１０４によって互いに閉じた状態になっており、前記先端部分１０２ａ、１０３ａが、溝１０８ａ内を容易に移動してしまうことから、フレーム１０７は、フレーム１０８に対して位置決めされず容易にずれ動いてしまった。したがって、接続具１００の第１部材１０２および第２部材１０３の先端部分１０２ａ、１０３ａが溝１０８ａ内を移動しないように、フレーム１０７をしっかり支えながら前記取付ネジ１０５をねじ込まなければならず、作業性が悪かった。
【０００５】
この発明は、上記従来の欠点を解決するためになされたものであり、その目的とするところは、フレーム同士の接続作業を容易にすることができる、フレームの接続具を提供することにある。
【課題を解決するための手段】
【０００６】
この発明に係るフレームの接続具は、前記目的を達成するために、次の構成からなる。すなわち、
長手方向の端面に開口する挿入部を備えた第１フレームと、一の面にその長手方向に延びるように開口する挿入溝を備えた第２フレームとを、前記端面と前記一の面とが対面するようにして接続する接続具である。そして、この接続具は、前記挿入部に挿入される本体部、および、前記挿入部から突出すべく前記本体部の先端から延設されるとともに前記挿入溝に挿入される係止部を有する、第１部材および第２部材と、それら第１部材および第２部材を、それら第１部材および第２部材の前記係止部が互いに離れて、前記挿入溝の開口幅よりも拡がるように弾性的に付勢する、付勢部材とを備える接続具本体と、前記第１フレームの周面に設けられた、前記挿入部に通ずる貫通孔から挿入され、かつ、回動操作によって、前記両係止部を互いに離れる方向に相対移動させることができるように、前記接続具本体に設けられる取付ネジと、前記接続具本体を前記第１フレームに保持する保持手段と、を備える。そして、前記接続具本体は、前記両係止部が、前記付勢部材の付勢力に抗して狭められるようにして前記挿入溝内に圧入されて、前記挿入溝を、その開口が拡開する方向に押圧することで、前記挿入溝に、移動が制限されるように支持され、かつ、前記接続具本体は、前記取付ネジの回動により、前記両係止部が、互いに離れる方向に力を受けて、前記挿入溝を、その開口が拡開する方向にさらに押圧することで、前記挿入溝に固定される。
【０００７】
これによれば、接続具本体における第１部材および第２部材の本体部を第１フレームの挿入部に挿入し、接続具本体を、保持手段によって前記第１フレームに保持する。そして、付勢部材の付勢力によって、第２フレームの挿入溝の開口幅よりも拡げられた、両係止部を、付勢部材の付勢力に抗して狭めるようにして、第２フレームの挿入溝内に圧入すると、前記両係止部が、前記付勢部材の付勢力によって前記挿入溝を、その開口が拡開する方向に押圧するので、接続具本体は、前記挿入溝に、移動を制限されるように支持される。そして、接続具本体に設けられた取付ネジを回動操作すると、前記両係止部は、互いに離れるよう相対移動しようとする。すなわち、前記両係止部が、互いに離れる方向に力を受けて、前記挿入溝を、その開口が拡開する方向にさらに押圧するので、接続具本体は、前記挿入溝に固定される。このように、接続具本体が、第１フレームに保持されるとともに、第２フレームの挿入溝に固定されることで、第１フレームおよび第２フレームは、接続される。もっとも、第１フレームと第２フレームとを接続する手順は、上述のとおりでなくてもよい。すなわち、まず両係止部を第２フレームの挿入溝に圧入する。その後、両本体部を第１フレームの挿入部に挿入し、接続具本体を、保持手段によって前記第１フレームに保持する。そして、取付ネジを回動することで、接続具本体を挿入溝に固定するようにしてもよい。
【０００８】
請求項２に記載の発明に係るフレームの接続具のように、請求項１に記載の接続具において、前記第１部材の本体部および前記第２部材の本体部は、前記挿入部の内面と当接する第１当接部を有するのが望ましい。ここで、前記両本体部が前記挿入部に挿入され、かつ、前記両係止部が前記挿入溝に挿入されないときには、前記第１当接部は、前記付勢部材の付勢力を受けて、前記挿入部の内面に当接するとともに、前記両係止部は、前記挿入溝の開口幅よりも拡がっている。これによれば、前記第１部材の本体部および前記第２部材の本体部を挿入部に挿入すると、それら本体部が有する第１当接部が、前記付勢部材の付勢力によって、それぞれ挿入部の内面と当接するので、両本体部が挿入部内をずれ動きにくくなり、取付ネジを挿入し易くなる。また、両本体部が挿入部に挿入された状態においても、前記両係止部が挿入溝の開口幅よりも拡がっているので、それら両係止部を挿入溝内に圧入することで、接続具本体は、挿入溝に移動を制限されるように支持される。
【０００９】
請求項３に記載の発明に係るフレームの接続具のように、請求項２に記載の接続具において、前記第１部材の本体部または前記第２部材の本体部は、その基端に、前記両係止部が前記挿入溝に圧入されつつあるときに、前記接続具本体が前記第１フレームに対して傾くのを規制すべく、前記挿入部の内面と当接する、第２当接部を有してもよい。これによれば、両係止部を挿入溝内に圧入しつつあるときには、第１当接部が挿入部の内面と当接していないことから、接続具本体は、第１フレームに対して傾いてしまうが、第２当接部が挿入部の内面と当接することで、その傾きが規制される。
【００１０】
請求項４に記載の発明に係るフレームの接続具のように、請求項１ないし３のいずれか１項に記載の接続具において、前記第１部材は、前記取付ネジが螺合する貫通状の雌ネジ部を有し、前記第２部材は、前記雌ネジ部に螺合した前記取付ネジの先端が当接するネジ当接部を有してもよい。そして、前記取付ネジがねじ込まれるように回動されて、その取付ネジの先端が前記ネジ当接部を押すことで、前記両係止部は、互いに離れる方向に相対移動する。これによれば、取付ネジをねじ込むように回動すると、取付ネジの先端が貫通状の雌ネジ部から突出して、第２部材の当接部を押すことで、両係止部は、互いに離れる方向に相対移動しようとする。したがって、取付ネジをねじ込むように回動することで、前記両係止部は、互いに離れる方向に力を受けて、挿入溝を、その開口が拡開する方向にさらに押圧する。
【００１１】
請求項５に記載の発明に係るフレームの接続具のように、請求項４に記載の接続具において、前記取付ネジは、その後端部分に、前記貫通孔の内周面と当接するネジ頭部を有し、このネジ頭部が、前記保持手段となるのが望ましい。これによれば、取付ネジのネジ頭部が、第１フレームの貫通孔の内周面と当接することで、取付ネジの、貫通孔の径方向への動きが規制されるので、接続具本体は、第１フレームに保持されることとなる。したがって、取付ネジのネジ頭部が保持手段となるので、接続具の構成が簡単になる。
【００１２】
請求項６に記載の発明に係るフレームの接続具のように、請求項１ないし５のいずれか１項に記載の接続具において、前記挿入溝は、その開口側に、開口幅を狭めるように突出する突条部を有しており、前記両係止部は、その先端部分に、それら両係止部が互いに離れる方向に突出する突出部を有し、その突出部の後端部には、それら両係止部が互いに離れる方向に力を受けることで、前記突条部を、前記挿入溝の開口が拡開する方向とともに前記第１フレームの方向に押圧する押圧面が設けられていることが望ましい。これによれば、両係止部が互いに離れる方向に力を受けると、押圧面は、突条部を第１フレームの方向にも押圧する。すなわち、第２フレームが第１フレームの方向に押圧され、第２フレームの一の面は、第１フレームの端面に押し付けられる。したがって、第１フレームおよび第２フレームは、第１フレームの端面と第２フレームの一の面とがしっかり当接するようにして接続される。
【発明の効果】
【００１３】
以上、詳述したことから明らかなように、この発明に係るフレームの接続具によれは、次の効果がある。
【００１４】
接続具本体の係止部を、第２フレームの挿入溝に挿入することで、前記接続具本体が、挿入溝に移動を制限されるように支持されることから、第１フレームは、第２フレームに対してずれ動きにくくなる。したがって、前記接続具本体を挿入溝に固定するために取付ネジを回動操作する際に、第１フレームが第２フレームに対してずれ動かないように、第１フレームをしっかり支える必要がなくなり、第１フレームと第２フレームとの接続作業が容易となる。
【発明を実施するための最良の形態】
【００１５】
以下、この発明に係るフレームの接続具を実施するための最良の形態を図面に基づいて説明する。
【００１６】
図１ないし図６は、本発明に係るフレームの接続具の一実施の形態を示す。図中符号１は、第１フレームであり、長手方向の端面１ａに開口する挿入部１０を備えている。２は、第２フレームであり、一の面２ａにその長手方向に延びるように開口する挿入溝２０を備えている。３は、接続具であり、第１フレーム１と第２フレーム２とを、それらの前記端面１ａと前記一の面２ａとが対面するようにして接続するものである。
【００１７】
第１フレーム１は、挿入部１０を備えて長手方向に貫通状に延びる通孔Ｐが形成された、型材からなり、第２フレームは、挿入溝２０が長手方向の全長に渡って延びるように形成された、型材からなる。また、挿入溝２０は、その開口側に、開口幅を狭めるように突出する突条部２１、２１を有して、断面略Ｔ字形状となっている。また、挿入部１０を備える通孔Ｐは、断面矩形形状に、図示実施の形態においては、例えば、正方形形状に形成されている。図示実施の形態においては、第１フレーム１と第２フレーム２とは、同一の型材からなり、それぞれが、挿入部１０と挿入溝２０とを備えている。そして、第１フレーム１の周面１ｂには、挿入部１０に通ずる貫通孔１１が設けられている。
【００１８】
接続具３は、接続具本体４と、取付ネジ５と、接続具本体４を第１フレーム１に保持する保持手段６とを備えている。接続具本体４は、第１フレーム１の挿入部１０にちょうど嵌り合う大きさでその挿入部１０に挿入される本体部４１ａ、および、挿入部１０から突出すべく本体部４１ａの先端から延設されるとともに第２フレーム２の挿入溝２０に挿入される係止部４１ｂを有する、第１部材４１と、その第１部材４１と同様に、本体部４２ａおよび係止部４２ｂを有する、第２部材４２と、それら第１部材４１および第２部材４２を、前記両係止部４１ｂ、４２ｂが互いに離れて、挿入溝２０の開口幅よりも拡がるように弾性的に付勢する、付勢部材４３とを備えている。取付ネジ５は、前記貫通孔１１から挿入され、かつ、回動操作によって、前記両係止部４１ｂ、４２ｂを互いに離れる方向に相対移動させることができるように、接続具本体４に設けられる。そして、接続具本体４は、第１部材４１および第２部材４２の係止部４１ｂ、４２ｂが、付勢部材４３の付勢力に抗して狭められるようにして挿入溝２０内に圧入されて、挿入溝２０を、その開口が拡開する方向に押圧することで、挿入溝２０に、移動が制限されるように支持される（図５参照。）。さらに、接続具本体４は、取付ネジ５の回動により、第１部材４１および第２部材４２の係止部４１ｂ、４２ｂが、互いに離れる方向に力を受けて、挿入溝２０を、その開口が拡開する方向にさらに押圧することで、挿入溝２０に固定される（図６参照。）。
【００１９】
詳細には、第１部材４１および第２部材４２には、本体部４１ａ、４２ａの基端部分にヒンジ部４４が設けられており（詳しくは、第２部材４２の本体部４２ａの基端部分には、ヒンジ軸部４４ａが設けられ、第１部材４１の本体部４１ａの基端部分には、ヒンジ軸部４４ａの外周を覆うようにして、ヒンジ軸部４４ａを受け止める、軸受け部４４ｂが設けられている。）、そのヒンジ部４４を支点にして、係止部４１ｂ、４２ｂが互いに近づいたり離れたりできるようになっている。そして、第１部材４１の本体部４１ａと、第２部材４２の本体部４２ａとの間には、前記両係止部４１ｂ、４２ｂが互いに離れて、前記挿入溝２０の開口幅よりも拡がるように弾性的に付勢する、付勢部材４３が、配備されている。すなわち、第１部材４１および第２部材４２の互いに向かい合う内側面４１ｃ、４２ｃにおいて、前記ヒンジ部４４よりも本体部４１ａ、４２ａの先端側に位置する部分には、収容凹部４５ａ、４５ｂが互いに向かい合うように設けられており、これら収容凹部４５ａ、４５ｂが収容空間４５を形成している。この収容空間４５には、弾性部材、例えば、円柱形状の弾性ゴム材からなる、付勢部材４３が収容され、保持されている。そして、この弾性ゴム材からなる付勢部材４３は、その弾性力によって、前記第１部材４１と前記第２部材４２とを、それらの係止部４１ｂ、４２ｂが前記ヒンジ部４４を支点にして、互いに離れて、挿入溝２０の開口幅、詳しくは、挿入溝２０の突条部２１、２１間の間隔２１ａよりも拡がるように付勢する。
【００２０】
また、接続具本体４は、第１部材４１の本体部４１ａおよび第２部材４２の本体部４２ａに、詳しくは、本体部４１ａの後述する雌ネジ部４１ｈの近辺部分、および、本体部４２ａの中央部分に、挿入部１０の内面１０ａと当接する第１当接部４６、４６を有している。さらに、第１当接部４６のほかに、第１部材４１の本体部４１ａの基端（図示実施の形態においては、ヒンジ部４４よりも後方に位置する基端）に、係止部４１ｂ、４２ｂが挿入溝２０に圧入されつつあるときに、接続具本体４が第１フレーム１に対して傾くのを規制すべく、挿入部１０の内面１０ａと当接する、第２当接部４７を有している。そして、本体部４１ａ、４２ａが挿入部１０に挿入されると、第１当接部４６、４６は、付勢部材４３の付勢力を受けて、挿入部１０の内面１０ａ、１０ａに当接する（図示実施の形態においては、第１当接部４６、４６だけでなく、第２当接部４７も付勢部材４３の付勢力を受けて、挿入部１０の内面１０ａと当接している。）。このように、本体部４１ａ、４２ａが挿入部１０に挿入された状態においても、係止部４１ｂ、４２ｂは、挿入溝２０の開口幅、詳しくは、挿入溝２０の前記突条部２１、２１間の間隔２１ａよりも拡がっている（図４参照。）。
【００２１】
そして、第１部材４１および第２部材４２の係止部４１ｂ、４２ｂは、その先端部分に、係止部４１ｂ、４２ｂが互いに離れる方向に突出する突出部４８、４８を有している。これら突出部４８、４８の後端部には、係止部４１ｂ、４２ｂが互いに離れる方向に力を受けることで、挿入溝２０を、詳しくは、その突条部２１、２１を、挿入溝２０の開口が拡開する方向とともに第１フレーム１の方向に押圧する押圧面４８ａ、４８ａが設けられている。詳しくは、押圧面４８ａ、４８ａは、突出部４８の後端部に形成された、先端寄りほど両係止部４１ｂ、４２ｂが互いに離れる方向に位置する傾斜面からなっている。また、係止部４１ｂ、４２ｂの先端部、詳しくは、突出部４８、４８の先端部には、先端寄りほど両係止部４１ｂ、４２ｂが互いに近づく方向に位置する傾斜面が設けられ、これら傾斜面は、係止部４１ｂ、４２ｂが挿入溝２０内に圧入されるときに、両係止部４１ｂ、４２ｂが互いに近づくように相対移動するよう、突条部２１、２１に押される被押圧面になっている。
【００２２】
また、第１部材４１は、本体部４１ａに、前記取付ネジ５が螺合する貫通状の雌ネジ部４１ｈを有し、第２部材４２は、前記雌ネジ部４１ｈに螺合した取付ネジ５の先端５ａが当接するネジ当接部４２ｄを有してしる。そして、取付ネジ５がねじ込まれるように回動されると、取付ネジ５の先端５ａがネジ当接部４２ｄを押すことで、係止部４１ｂ、４２ｂは、互いに離れる方向に相対移動することができる。
【００２３】
そして、取付ネジ５は、その後端部分に、第１部材４１から突出するとともに、貫通孔１１の内周面１１ａと当接するネジ頭部５ｂを有しており、図示実施の形態においては、このネジ頭部５ｂが、前記保持手段６となっている。
【００２４】
次に、以上の構成からなる接続具３の作用効果について説明する。図４に示すように、接続具本体４における第１部材４１および第２部材４２の本体部４１ａ、４２ａを第１フレーム１の挿入部１０に挿入するとともに、取付ネジ５を、第１フレーム１に設けられた貫通孔１１から挿入し、第１部材４１の本体部４１ａの雌ネジ部４１ｈにねじ込む。このとき、第１部材４１の本体部４１ａおよび第２部材４２の本体部４２ａが有する第１当接部４６、４６が、付勢部材４３の付勢力を受けて、それぞれ挿入部１０の内面１０ａ、１０ａと当接するので、本体部４１ａ、４２ａは、挿入部１０内をずれ動きにくくなり（図示実施の形態においては、第１当接部４６、４６だけでなく、第２当接部４７も挿入部１０の内面１０ａと当接するので、本体部４１ａ、４２ａは、さらにずれ動きにくくなる。）、したがって、取付ネジ５を雌ネジ部４１ｈに容易にねじ込むことができる（ただし、この段階では、取付ネジ５の先端５ａをネジ当接部４２ｄに当接させない。）。さらに、取付ネジ５は、ネジ頭部５ａを有しており、そのネジ頭部５ａが前記貫通孔１１の内周面１１ａと当接することで、取付ネジ５の貫通孔１１の径方向への動きが規制されるので、本体部４１ａ、４２ａは、挿入部１０内に保持され、したがって、接続具本体４は、第１フレーム１に保持される。すなわち、貫通孔１１の内周面１１ａに当接するネジ頭部５ｂが保持手段６となっており、接続具３の構成が簡単になっている。
【００２５】
そして、第１部材４１および第２部材４２の本体部４１ａ、４２ａが挿入部１０に挿入された状態において、第２フレーム２の挿入溝２０における突条部２１、２１間の間隔２１ａよりも拡がった、第１部材４１および第２部材４２の係止部４１ｂ、４２ｂを、付勢部材４３の付勢力に抗して狭めるようにして、前記挿入溝２０内に圧入する（図５参照。）。このとき、係止部４１ｂ、４２ｂの先端部（詳しくは、突出部４８、４８の先端部）には、傾斜面からなる被押圧面が設けられていることから、前記両係止部４１ｂ、４２ｂは、突条部２１、２１によって互いに近づくように押圧され、それら突条部２１、２１間の間隔２１ａより狭められるので、容易に挿入溝２０内に圧入される。ところで、係止部４１ｂ、４２ｂが挿入溝２０内に圧入されつつあるとき、すなわち、係止部４１ｂ、４２ｂが突条部２１、２１間の間隔２１ａより狭められているときには、前記第１当接部４６、４６も互いに近づき、挿入部１０の内面１０ａ、１０ａとの間に間隙ができる。よって、本体部４１ａ、４２ａが、挿入部１０内において貫通孔１１の貫通方向にずれ動くことにより、接続具本体４は、第１フレーム１に対して傾く虞が生ずる。しかし、図示実施の形態においては、本体部４１ａに第２当接部４７が設けられており、その第２当接部４７が挿入部１０の内面１０ａと当接することで、前記傾きが規制される。
【００２６】
前述のとおり、係止部４１ｂ、４２ｂを挿入溝２０内に圧入すると、係止部４１ｂ、４２ｂは、付勢部材４３である弾性部材の付勢力、すなわちその弾性力によって、互いに離れる方向に戻ろうとする力を受ける。このため、係止部４１ｂ、４２ｂが、挿入溝２０の突条部２１、２１を、挿入溝２０の開口が拡開する方向に押圧することで、接続具本体４は、挿入溝２０に、自由に動くことができないように、すなわち、その移動を制限されるように支持され、したがって、接続具本体４は、挿入溝２０内を移動しにくくなる（もっとも、係止部４１ｂ、４２ｂが突条部２１、２１を押圧する押圧力や第１フレームの重さ等の関係によっては、接続具本体４が、挿入溝２０内を移動しないように、仮止めされることもあることは当然である。）。ところで、図示実施の形態において、係止部４１ｂ、４２ｂが、押圧面４８ａを有する突出部４８を有していることから、それら係止部４１ｂ、４２ｂは、付勢部材４３によって互いに離れる方向に戻ろうとする力を受けて、突条部２１、２１を、挿入溝２０の開口が拡開する方向とともに第１フレーム１の方向にも押圧する。
【００２７】
その後、図６に示すように、取付ネジ５をねじ込むように回動すると、その取付ネジ５の先端５ａが第１部材４１の雌ネジ部４１ｈから突出して、第２部材４２のネジ当接部４２ｄを押すことにより、第１部材の係止部４１ｂと第２部材の係止部４２ｂとは、互いに離れる方向に相対移動しようとする。すなわち、係止部４１ｂ、４２ｂは、互いに離れる方向に力を受け、挿入溝２０（詳しくは、その突条部２１、２１）をその開口が拡開する方向にさらに押圧する。この押圧力は、取付ネジ５をねじ込めばねじ込むほど大きくなる。係止部４１ｂ、４２ｂが、取付ネジ５のねじ込み量に応じた大きな力で挿入溝２０（詳しくは、その突条部２１、２１）を押圧するので、接続具本体４は、挿入溝２０に確実に固定されることとなる（本止めされることとなる。）。また、前述のとおり、係止部４１ｂ、４２ｂが、押圧面４８ａを有する突出部４８を有しており、第２フレーム２が第１フレーム１側に大きな力で押圧されるので、第１フレーム１と第２フレーム２は、それら端面１ａと一の面２ａとが当接するように、強固に接続される。
【００２８】
このように、第１部材４１および第２部材４２の本体部４１ａ、４２ａを第１フレーム１の挿入部に挿入するとともに、係止部４１ｂ、４２ｂを第２フレーム２の挿入溝２０に挿入（圧入）し、そして、取付ネジ５を回動操作することで、第１フレーム１と第２フレーム２とを接続することができるわけであるが、上述のとおり、係止部４１ｂ、４２ｂを第２フレーム２の挿入溝２０に挿入（圧入）することで、それら係止部４１ｂ、４２ｂが、挿入溝２０を押圧することで、接続具本体４は、挿入溝２０に、移動が制限されるように支持される（場合によっては、仮止めされる）ので、第１フレーム１は、第２フレーム２に対してずれ動きにくくなる。したがって、その後、取付ネジ５を回動操作する際に、第１フレームが第２フレームに対してずれ動かないように、第１フレームをしっかり支える必要がなくなり、第１フレームと第２フレームとの接続作業が容易となる。
【００２９】
なお、本発明は、上述した実施の形態に限定されるわけではなく、その他種々の変更が可能である。第１フレーム１と第２フレーム２とは、同一断面形状の型材からなる必要はなく、異なる断面形状の型材からなってもよいし、また、型材からなる必要もない。さらに、第１フレーム１は、本体部４１ａ、４２ａが挿入される挿入部１０を備えておればよく、また、第２フレーム２は、係止部４１ｂ、４２ｂが挿入される挿入溝２０を備えておればよく、図示実施の形態に示すように、第１フレーム１および第２フレーム２が、挿入部１０と挿入溝２０とをともに備える必要はない。また、第１フレーム１および第２フレーム２が、挿入部１０と挿入溝２０とをともに備える場合においても、図示実施の形態のように、それぞれ一つづつである必要はない。
【００３０】
また、付勢部材４３は、弾性的に付勢し得るものであればよく、必ずしも弾性ゴム材からなる必要はなく、コイルスプリングや板バネなど、その他の部材から構成されても構わない。
【００３１】
また、第１部材４１および第２部材４２には、ヒンジ部４４が設けられているが、必ずしも設けられなくてもよい。また、ヒンジ部４４が設けられる場合であっても、前記第１部材４１および第２部材４２の係止部４１ｂ、４２ｂが、ヒンジ部４４を支点にして互いに離れたり近づいたりするように構成されればよく、図示実施の形態のように、本体部４１ａ、４２ａの基端部分に設けられる必要はなく、本体部４１ａの先端部分に設けられても、あるいは、中間部分に設けられてもよい。さらに、ヒンジ部４４は、第１部材４１に設けられるヒンジ軸部４４ａと、第２部材４２に設けられる軸受け部４４ｂとで構成されていてもよいし、あるいは、第１部材４１および第２部材４２とは別体の蝶番で構成されてもよい。
【００３２】
また、第２当接部は、図示実施の形態においては、第１部材４１の本体部４１ａの基端に設けられている。これは第１部材４１の本体部４１ａの基端が第２部材４２の本体部４２ａの基端よりも、挿入部１０の奥側に位置しているためであり、例えば、第２部材４２の本体部４２ａの基端が第１部材４１の本体部４１ａの基端よりも、挿入部１０の奥側に位置している場合には（例えば、第１部材４１の本体部４１ａの基端部分にヒンジ軸部４４ａが設けられ、第２部材４２の本体部４２ａの基端部分に軸受け部４４ｂが設けられた場合）、前記第２当接部４７は、第２部材４２の本体部４２ａの基端に設けられる。さらに、第１部材４１および第２部材４２の本体部４１ａ、４２ａの基端位置が同一であるときには、それら本体部４１ａ、４２ａのうちいずれか一方の基端にのみ設けられてもよい。
【００３３】
また、保持手段６は、例えば、挿入部１０の内面１０ａ、１０ａに設けられる、凹部または凸部と嵌り合うように、本体部４１ａ、４２ａに設けられる、凸部または凹部であってもよいなど、図示実施の形態に限定されるものでないことはいうまでもない。
【図面の簡単な説明】
【００３４】
【図１】この発明の一実施の形態の、接続具の分解斜視図である。
【図２】同じく、フレームの接続過程を説明する分解斜視図である。
【図３】同じく、フレームを接続した状態を示す斜視図である。
【図４】同じく、本体部を第１フレームの挿入部に挿入した状態を示す、横断面図である。
【図５】同じく、係止部を第２フレームの挿入溝に挿入し、かつ、取付ネジをねじ込む前の状態を示す、横断面図である。
【図６】同じく、係止部を第２フレームの挿入溝に挿入し、かつ、取付ネジをねじ込んだ後の状態を示す、横断面図である。
【図７】従来の接続具の、フレームの接続過程を説明する分解斜視図である。
【図８】同じく、先端部分を溝に挿入し、取付ネジをねじ込む前の状態を示す、横断面図である。
【符号の説明】
【００３５】
１    第１フレーム                １ａ  端面
１ｂ  周面                        ２    第２フレーム
２ａ  一の面                      ３    接続具
４    接続具本体                  ５    取付ネジ
５ｂ  ネジ頭部                    ６    保持手段
１０  挿入部                      １１  貫通孔
２０  挿入溝                      ２１  突条部
４１  第１部材                    ４２  第２部材
４１ａ、４２ａ  本体部            ４１ｂ、４２ｂ  係止部
４１ｈ  雌ネジ部                  ４３  付勢部材（弾性部材）
４６  第１当接部                  ４７  第２当接部
４８  突出部                      ４８ａ  押圧面
【図１】
2005147261.tif 000003
【図２】
2005147261.tif 000004
【図３】
2005147261.tif 000005
【図４】
2005147261.tif 000006
【図５】
2005147261.tif 000007
【図６】
2005147261.tif 000008
【図７】
2005147261.tif 000009
【図８】
2005147261.tif 000010